(57)【要約】【課題】簡易な構成でコストを抑えて、コード情報又は文字の読み取りを行うことができる証明写真撮影装置及び証明写真撮影方法を提供する。【解決手段】本発明による証明写真撮影装置は、被撮影者Ｐを撮影し、顔画像データを生成する撮影装置１１と、前記顔画像データを生成する顔画像撮影モードと、読取モードとを切り替えるモード切替部１１１と、前記読取モードの設定時に、撮影装置１１が撮影した画像から情報を取得する情報取得部１１２，１１３と、を備える。情報取得部１１２，１１３による前記情報の取得後、前記顔画像撮影モードに移行する。【選択図】図２
2017208730.tif 000002
【特許請求の範囲】
【請求項１】
被撮影者を撮影し、顔画像データを生成する撮影装置と、
前記顔画像データを生成する顔画像撮影モードと、読取モードとを切り替えるモード切替部と、
前記読取モードの設定時に、前記撮影装置が撮影した画像から情報を取得する情報取得部と、
を備え、
前記情報取得部による前記情報の取得後、前記顔画像撮影モードに移行することを特徴とする証明写真撮影装置。
【請求項２】
前記情報取得部は、前記撮影装置が撮影した二次元コード画像から情報を取得するコード情報取得部を含むことを特徴とする請求項１に記載の証明写真撮影装置。
【請求項３】
クーポン情報と割引額とが対応付けて規定されたクーポンデータを格納する記憶部と、
前記クーポンデータを参照し、前記コード情報取得部が前記二次元コード画像から取得したクーポン情報に対応する割引額を求め、課金額を決定する課金処理部と、
をさらに備えることを特徴とする請求項２に記載の証明写真撮影装置。
【請求項４】
前記情報取得部は、前記撮影装置が撮影した撮影した画像に含まれる文字を認識する文字認識処理部を含むことを特徴とする請求項１乃至３のいずれかに記載の証明写真撮影装置。
【請求項５】
撮影装置により被撮影者を撮影して顔画像データを生成する工程を含む証明写真撮影方法であって、
前記被撮影者から、前記顔画像データを生成する顔画像撮影モードを実行するか、又は読取モードを実行するかの選択を受け付ける工程と、
前記読取モードの実行の選択を受け付けた場合に、前記撮影装置により撮影した画像から情報を取得する工程と、
を備え、
前記情報の取得後、前記顔画像撮影モードに移行することを特徴とする証明写真撮影方法。
【請求項６】
被撮影者を撮影して顔画像データを生成し、前記顔画像データの生成後、二次元コードを撮影して二次元コード画像を生成する撮影装置と、
クーポン情報と割引額とが対応付けて規定されたクーポンデータを格納する記憶部と、
前記二次元コード画像からクーポン情報を取得するコード情報取得部と、
前記クーポンデータを参照し、前記コード情報取得部が取得したクーポン情報に対応する割引額を求め、課金額を決定する課金処理部と、
を備える証明写真撮影装置。
【請求項７】
撮影装置が被撮影者を撮影して顔画像データを生成する工程と、
前記顔画像データの生成後、前記撮影装置が二次元コードを撮影して二次元コード画像を生成する工程と、
前記二次元コード画像からクーポン情報を取得する工程と、
クーポン情報と割引額とが対応付けて規定されたクーポンデータを参照し、前記二次元コード画像から取得したクーポン情報に対応する割引額を求め、課金額を決定する工程と、
を備える証明写真撮影方法。
【発明の詳細な説明】
【技術分野】
【０００１】
本発明は、証明写真撮影装置及び証明写真撮影方法に関する。
【背景技術】
【０００２】
免許証やパスポートの申請書、履歴書等に貼付する証明写真を撮影するためのボックス型の写真撮影装置が知られている。写真撮影装置は、人物を撮影し、用途に応じた様々なサイズの写真をプリントして出力する。
【０００３】
この写真撮影装置を使用して、顔写真の入った社員証や学生証などのＩＤカードを発行するシステムが提案されている。例えば、社員数の多い企業で採用されている社員証発行システムでは、各社員が写真撮影装置に自身の社員番号を入力して顔写真を撮影する。写真撮影装置は、顔写真データと社員番号とを紐付けてホストコンピュータへ送信する。ホストコンピュータには各社員の氏名、社員番号等の個人情報が登録されている。ホストコンピュータは、社員の個人情報及び顔写真データをプリンタへ転送し、カード基材に印刷して社員証を発行する。
【０００４】
写真撮影装置に社員番号を手入力するのは手間がかかるため、社員番号等のＩＤ情報を二次元コードやバーコードにコード化し、コード画像を写真撮影装置が読み取るようにしたり、社員証のＩＣチップからＩＤ情報を読み取るようにしたりすることが求められている。
【０００５】
写真撮影装置として、個人番号カードの交付申請を行うものが知られている。利用者は、郵送で届いた個人番号カード交付申請書の二次元コードを写真撮影装置の読取部（スキャナ）にかざす。写真撮影装置が、利用者を撮影した顔画像データと、二次元コードを読み取って取得した利用者識別情報とをカード作成機関へ送信することで、個人番号カードの交付申請が完了する。
【０００６】
上述のようなサービスを提供するにあたり、写真撮影装置には二次元コードやＩＣチップから情報を読み取る読取装置を設ける必要があるが、装置コストが増すという問題があった。また、読取装置を持たない既存の写真撮影装置を上述のようなサービスに利用する場合、読取装置を追加で取り付ける改造作業が必要であった。
【先行技術文献】
【特許文献】
【０００７】
【特許文献１】特開２０１５−１４５９９３号公報
【特許文献２】特開２０１５−８３６４号公報
【特許文献３】特開２０１２−１６３８５７号公報
【特許文献４】特開２００７−２８８４１６号公報
【特許文献５】特開２００３−９８５９０号公報
【特許文献６】特開２００５−１９６２９２号公報
【発明の概要】
【発明が解決しようとする課題】
【０００８】
本発明は、上記従来の実状に鑑みてなされたものであり、簡易な構成でコストを抑えて、コード情報又は文字の読み取りを行うことができる証明写真撮影装置及び証明写真撮影方法を提供することを課題とする。
【課題を解決するための手段】
【０００９】
本発明による証明写真撮影装置は、被撮影者を撮影し、顔画像データを生成する撮影装置と、前記顔画像データを生成する顔画像撮影モードと、読取モードとを切り替えるモード切替部と、前記読取モードの設定時に、前記撮影装置が撮影した画像から情報を取得する情報取得部と、を備え、前記情報取得部による前記情報の取得後、前記顔画像撮影モードに移行することを特徴とするものである。
【００１０】
本発明の一態様による証明写真撮影装置において、前記情報取得部は、前記撮影装置が撮影した二次元コード画像から情報を取得するコード情報取得部を含むことを特徴とする。
【００１１】
本発明の一態様による証明写真撮影装置は、クーポン情報と割引額とが対応付けて規定されたクーポンデータを格納する記憶部と、前記クーポンデータを参照し、前記コード情報取得部が前記二次元コード画像から取得したクーポン情報に対応する割引額を求め、課金額を決定する課金処理部と、をさらに備えることを特徴とする。
【００１２】
本発明の一態様による証明写真撮影装置において、前記情報取得部は、前記撮影装置が撮影した撮影した画像に含まれる文字を認識する文字認識処理部を含むことを特徴とする。
【００１３】
本発明による証明写真撮影方法は、撮影装置により被撮影者を撮影して顔画像データを生成する工程を含む証明写真撮影方法であって、前記被撮影者から、前記顔画像データを生成する顔画像撮影モードを実行するか、又は読取モードを実行するかの選択を受け付ける工程と、前記読取モードの実行の選択を受け付けた場合に、前記撮影装置により撮影した画像から情報を取得する工程と、を備え、前記情報の取得後、前記顔画像撮影モードに移行することを特徴とするものである。
【００１４】
本発明による証明写真撮影装置は、被撮影者を撮影して顔画像データを生成し、前記顔画像データの生成後、二次元コードを撮影して二次元コード画像を生成する撮影装置と、クーポン情報と割引額とが対応付けて規定されたクーポンデータを格納する記憶部と、前記二次元コード画像からクーポン情報を取得するコード情報取得部と、前記クーポンデータを参照し、前記コード情報取得部が取得したクーポン情報に対応する割引額を求め、課金額を決定する課金処理部と、を備えるものである。
【００１５】
本発明による証明写真撮影方法は、撮影装置が被撮影者を撮影して顔画像データを生成する工程と、前記顔画像データの生成後、前記撮影装置が二次元コードを撮影して二次元コード画像を生成する工程と、前記二次元コード画像からクーポン情報を取得する工程と、クーポン情報と割引額とが対応付けて規定されたクーポンデータを参照し、前記二次元コード画像から取得したクーポン情報に対応する割引額を求め、課金額を決定する工程と、を備えるものである。
【発明の効果】
【００１６】
本発明によれば、簡易な構成でコストを抑えて、コード情報又は文字の読み取りを行うことができる。
【図面の簡単な説明】
【００１７】
【図１】本発明の実施形態に係るＩＤカード作成システムの概略図である。
【図２】同実施形態に係る証明写真撮影装置の概略構成図である。
【図３】演算制御装置の概略構成図である。
【図４】制御プログラムの実行により実現される機能ブロック図である。
【図５】同実施形態に係る証明写真撮影方法を説明するフローチャートである。
【図６】別の実施形態に係る証明写真撮影方法を説明するフローチャートである。
【発明を実施するための形態】
【００１８】
以下、本発明の実施の形態を図面に基づいて説明する。
【００１９】
図１は、本発明の実施形態に係るＩＤカード作成システムの概略図である。ＩＤカード作成システムは、証明写真撮影装置１、サーバ装置２、及びプリンタ３を備え、利用者Ｐ（被撮影者）の顔画像及び氏名等がプリントされたＩＤカード４を作成するものである。
【００２０】
証明写真撮影装置１は、利用者Ｐから提示された二次元コードを読み取ってＩＤ情報を取得し、利用者Ｐを撮影して生成した顔画像データと共にサーバ装置２へ送信する。また、証明写真撮影装置１は、光学文字認識（OCR：Optical  Character  Recognition）により、利用者Ｐから提示されたＩＤ番号を認識してＩＤ情報を取得することができる。証明写真撮影装置１は、二次元コードの読み取りやＩＤ番号の文字認識に、利用者Ｐの撮影を行う撮影装置１１（図２参照）を用いる。
【００２１】
証明写真撮影装置１は、利用者Ｐの顔画像を印画紙にプリントして出力する機能を有する。
【００２２】
サーバ装置２は、利用者Ｐの氏名等の個人情報とＩＤ情報とを紐付けて保存・管理している。サーバ装置２は、証明写真撮影装置１から利用者ＰのＩＤ情報及び顔画像データを受信すると、利用者Ｐの氏名等の情報を抽出し、ＩＤカード４に印字する印字情報として顔画像データと共にプリンタ３へ送信する。
【００２３】
プリンタ３は、サーバ装置２から受信した顔画像データ及び印字情報をカード基材に印画して、ＩＤカード４を作成する。
【００２４】
図１、２に示すように、証明写真撮影装置１は、利用者Ｐの撮影を行う撮影空間を有するボックス型の撮影装置であり、利用者Ｐを撮影して撮影画像データを生成する撮影装置１１と、この撮影画像データに対して画像処理を施す演算制御装置１０と、利用者Ｐから各種指示を受け付けると共に、プレビュー画像や各種情報を表示するタッチパネル（指示受付部及び表示部）１２と、音声案内等を出力するスピーカ１４と、撮影装置１１が利用者Ｐを撮影する際に光を照射するストロボ１５と、を備える。
【００２５】
撮影装置１１は、利用者Ｐの撮影だけでなく、利用者Ｐにより提示された二次元コードやＩＤ番号の撮影も行う。利用者Ｐが提示する二次元コードは、ＩＤ情報を二次元コード化したものに限らず、割引クーポン情報を二次元コード化したものも含まれる。利用者Ｐは、紙媒体に印刷された二次元コードを提示してもよいし、携帯端末のディスプレイに表示された二次元コードを提示してもよい。
【００２６】
この証明写真撮影装置１には、画像を印画紙にプリントして出力するプリンタ１６が設けられている。プリンタ１６のプリント方式は特に限定されず、インクジェット方式、昇華型熱転写方式、溶融型熱転写方式等を用いることができる。
【００２７】
また、証明写真撮影装置１は、サーバ装置２と通信を行う通信装置１７を備えている。
【００２８】
印画物作製装置１には、利用者が支払う貨幣を受け入れたり、釣銭を払い出したりする課金部（図示せず）がさらに設けられている。また、印画物作製装置１に、電子マネーでの支払いを受け付ける課金部が設けられていてもよい。
【００２９】
撮影装置１１は、例えばデジタルカメラであり、レンズ、シャッタ、ＣＭＯＳセンサ、Ａ／Ｄ変換器等を有する。撮影装置１１が利用者Ｐや二次元コード等を撮影する場合には、ＣＭＯＳセンサが、レンズにより収束された撮影光を、シャッタを介して受光すると共に、受光面に結像された光学像を光電変換し、画像信号として出力する。そして、Ａ／Ｄ変換器が、ＣＭＯＳセンサから出力された画像信号をＡ／Ｄ変換し、撮影画像データを生成する。撮影装置１１は、撮影画像データを演算制御装置１０へ出力する。
【００３０】
タッチパネル１２は、操作ボタンを表示し、操作ボタンが押されると、その操作ボタンに対応した操作指示を受け付ける。例えば、タッチパネル１２は、利用者Ｐから、動作モードの選択指示を受け付ける。証明写真撮影装置１は、顔画像撮影モードと読取モードとを備えている。
【００３１】
読取モードには、ＩＤ読取モードと、クーポン読取モードとがある。ＩＤ読取モードには、利用者ＰのＩＤ情報をコード化した二次元コードを読み取るモードと、ＩＤ番号の文字認識を行うモードとがある。クーポン読取モードは、割引クーポンをコード化した二次元コードを読み取るモードである。
【００３２】
利用者Ｐを複数回撮影した場合、タッチパネル１２は複数の顔画像を表示し、利用者Ｐから選択指示を受け付けることができる。
【００３３】
本実施形態では、タッチパネル１２が、利用者Ｐからの指示の受け付け及び利用者Ｐに対する情報提示を行っているが、タッチパネル１２の代わりに、タッチ機能の無いディスプレイ及びボタンを設けてもよい。
【００３４】
演算制御装置１０は、印画物作製装置１の各部の制御やデータの受け渡しを行う。図３に、演算制御装置１０のハードウェア構成を示す。演算制御装置１０は、ＣＰＵ（中央演算処理部）１００、メインメモリ１０２、ディスク装置１０４、及び入出力部１０６を有する。演算制御装置１０の各部はバスを介して接続されている。
【００３５】
ディスク装置１０４は、例えばハードディスクドライブであり、制御プログラム１１０、及びクーポンデータ１２０を格納する。
【００３６】
ＣＰＵ１００は、ディスク装置１０４内の制御プログラム１１０をメインメモリ１０２にロードして、制御プログラム１１０を実行する。
【００３７】
図４に、ＣＰＵ１００が制御プログラム１１０を実行することで実現される機能ブロック図を示す。制御プログラム１１０の実行により、モード切替部１１１、コード情報取得部１１２、文字認識処理部１１３、画像処理部１１４、通信処理部１１５、プリント処理部１１６、及び課金処理部１１７が実現される。
【００３８】
モード切替部１１１は、証明写真撮影装置１の動作モードの切り替えを行う。例えば、タッチパネル１２を介して、利用者Ｐから、顔画像撮影モードと読取モードのどちらを行うかの選択を受け付け、動作モードを切り替える。顔画像撮影モードが選択された場合、証明写真撮影装置１は、撮影装置１１により利用者Ｐの撮影を行う。証明写真撮影装置１は、利用者Ｐの撮影の前又は後に、画像の用途（運転免許証やパスポート等）を利用者Ｐから受け付けたり、課金処理を行ったりすることができる。また、証明写真撮影装置１は、撮影画像をプリンタ１６からプリント出力することができる。
【００３９】
読取モードが選択された場合、モード切替部１１１は、タッチパネル１２を介して、ＩＤ読取モードとクーポン読取モードのどちらを行うかの選択を受け付ける。ＩＤ読取モードが選択された場合、モード切替部１１１は、タッチパネル１２を介して、二次元コードの読み取りを行うか、又はＩＤ番号の読み取り（文字認識）を行うかの選択を受け付ける。
【００４０】
コード情報取得部１１２は、ＩＤ読取モードの二次元コード読み取り時、又はクーポン読取モードにおいて、利用者Ｐから提示された二次元コードを撮影装置１１で撮影し、撮影した画像からＩＤ情報（ＩＤ番号）又はクーポン情報を取得する。
【００４１】
クーポン情報は、例えば、ランダムな複数桁の英数字の文字列となっている。ディスク装置１０４に格納されているクーポンデータ１２０には、クーポン情報の英数字文字列と、割引額とが対応付けて規定されている。
【００４２】
課金処理部１１７は、クーポンデータ１２０を参照し、コード情報取得部１１２が二次元コードを読み取って取得したクーポン情報の英数字文字列に対応する割引額を求め、課金額を決定する。
【００４３】
文字認識処理部１１３は、ＩＤ読取モードの文字認識処理時に、利用者Ｐから提示されたＩＤ番号を撮影装置１１で撮影し、撮影した画像に対して公知の文字認識処理を施して、ＩＤ番号を取得する。
【００４４】
画像処理部１１４は、撮影装置１２により生成された撮影画像データ（顔画像データ）をタッチパネル１２でのプレビュー表示に対応したサイズに縮小（リサイズ）し、プレビュー用画像データを生成する。
【００４５】
また、画像処理部１１４は、顔画像データを、用途に応じたサイズにリサイズする。例えば、画像処理部１１４は、利用者Ｐから受け付けた用途に応じたサイズにリサイズして、プリント用画像データを生成する。ＩＤ読取モードによりＩＤ情報を取得している場合、画像処理部１１４は、顔画像データを、ＩＤカード作成に適したサイズにリサイズする。
【００４６】
通信処理部１１５は、ＩＤ読取モードで取得したＩＤ情報と顔画像データとを、通信装置１７を介して、サーバ装置２へ送信する。
【００４７】
プリント処理部１１６は、演算制御装置１０の入出力部１０６を介してプリント用画像データをプリンタ１６へ送信し、プリンタ１６を制御して、画像を印画紙にプリントして出力する。
【００４８】
図５は、本実施形態に係る証明写真撮影方法を説明するフローチャートである。
【００４９】
利用者Ｐが、証明写真撮影装置１の筐体内に進入すると、モード切替部１１１はタッチパネル１２にモード選択画面を表示する（ステップＳ１０１）。例えば、タッチパネル１２に、証明写真用の顔画像撮影を行う顔画像撮影モードの選択ボタン、及び利用者ＰのＩＤ又はクーポンの読み取りを行う読取モードの選択ボタンが表示される。
【００５０】
顔画像撮影モードが選択された場合、タッチパネル１２には証明写真の用途の選択画面が表示される（ステップＳ１０２）。利用者Ｐは、証明写真の用途を選択する。
【００５１】
課金処理部１１７が課金額を算出してタッチパネル１２に表示する（ステップＳ１０３）。利用者Ｐが貨幣を投入すると、課金処理が行われる。
【００５２】
撮影装置１１が利用者Ｐを撮影する（ステップＳ１０４）。撮影は１回でもよいし、複数回行えるようにしてもよい。撮影を複数回行う場合、タッチパネル１２に複数のプレビュー画像が表示され、利用者Ｐはいずれかの画像を選択する。
【００５３】
画像処理部１１４は、ステップＳ１０２で選択された用途に対応したサイズに画像データを縮小（リサイズ）し、プリント用画像データを生成する。プリント処理部１１６が、プリント用画像データをプリンタ１６へ送信し、プリンタ１６を制御して、画像を印画紙にプリントして出力する（ステップＳ１０５）。
【００５４】
ステップＳ１０１で読取モードが選択された場合、モード切替部１１１はタッチパネル１２に、ＩＤ読取モードの選択ボタンと、クーポン読取モードの選択ボタンとを表示する（ステップＳ１１０）。
【００５５】
クーポン読取モードが選択された場合（ステップＳ１１０＿Ｎｏ）、二次元コード化されたクーポンを撮影装置１１の前にかざすように、タッチパネル１２に案内が表示される。利用者Ｐがクーポンを撮影装置１１の前にかざすと、撮影装置１１がクーポンを撮影し、コード情報取得部１１２が撮影した画像からクーポン情報を取得する（ステップＳ１２０）。
【００５６】
課金処理部１１７は、クーポンデータ１２０を参照し、ステップＳ１２０で取得されたクーポン情報に対応する割引額を求めて課金額を算出し、割引後の金額でステップＳ１０３の課金処理を行う。
【００５７】
ＩＤ読取モードが選択された場合（ステップＳ１１０＿Ｙｅｓ）、モード切替部１１１はタッチパネル１２に、二次元コード読み取りの選択ボタンと、ＩＤ番号読み取りの選択ボタンとを表示する（ステップＳ１１１）。
【００５８】
二次元コード読み取りが選択された場合（ステップＳ１１１＿Ｙｅｓ）、二次元コード化されたＩＤを撮影装置１１の前にかざすように、タッチパネル１２に案内が表示される。利用者Ｐが二次元コードを撮影装置１１の前にかざすと、撮影装置１１が二次元コードを撮影し、コード情報取得部１１２が撮影した画像からＩＤ情報を取得する（ステップＳ１１２、Ｓ１１４）。
【００５９】
ＩＤ番号読み取りが選択された場合（ステップＳ１１１＿Ｎｏ）、ＩＤ番号を撮影装置１１の前にかざすように、タッチパネル１２に案内が表示される。利用者ＰがＩＤ番号を撮影装置１１の前にかざすと、撮影装置１１がＩＤ番号を撮影し、文字認識処理部１１３が、撮影画像からＩＤ情報（ＩＤ番号）を取得する（ステップＳ１１３、Ｓ１１４）。
【００６０】
ＩＤ情報の取得後、顔画像撮影モードの課金処理（ステップＳ１０３）又は撮影処理（ステップＳ１０４）に進む。図５は撮影処理（ステップＳ１０４）に進む例を示している。ＩＤ情報を取得した場合、撮影画像の用途はＩＤカードであるため、用途選択処理（ステップＳ１０２）は省略される。画像処理部１１４は、ステップＳ１０４の撮影処理で得られた顔画像データを、ＩＤカードに適したサイズにリサイズする。ステップＳ１０５において、通信処理部１１５が、顔画像データとＩＤ情報とをサーバ装置２へ出力する。
【００６１】
このように、本実施形態では、利用者Ｐの撮影を行う撮影装置１１を用いて、クーポンやＩＤをコード化した二次元コードを読み取ったり、ＩＤ番号の読み取り（文字認識）を行ったりする。撮影装置１１とは別に二次元コード等の読み取りを行うための読取装置（スキャナ）を設ける必要がなく、コストを抑えることができる。
【００６２】
また、利用者Ｐは、自身のＩＤを手入力する必要がないため、操作の手間を軽減することができる。
【００６３】
上記実施形態において、コード情報取得部１１２は、二次元コードからクーポン情報やＩＤ情報を取得する例について説明したが、一次元コード（バーコード）から取得するようにしてもよい。
【００６４】
上記実施形態では、利用者Ｐの撮影処理の前に課金処理を行う例について説明したが、撮影処理の後に課金処理を行ってもよい。図６は、撮影処理後、割引クーポンの読み取りを行い、課金処理を行う場合のフローチャートである。
【００６５】
利用者Ｐが、証明写真撮影装置１の筐体内に進入すると、モード切替部１１１はタッチパネル１２にモード選択画面を表示する（ステップＳ２０１）。例えば、タッチパネル１２に、証明写真用の顔画像撮影を行う顔画像撮影モードの選択ボタン、及び利用者ＰのＩＤの読み取りを行うＩＤ読取モードの選択ボタンが表示される。
【００６６】
顔画像撮影モードが選択された場合、タッチパネル１２には証明写真の用途の選択画面が表示される（ステップＳ２０２）。利用者Ｐは、証明写真の用途を選択する。
【００６７】
撮影装置１１が利用者Ｐを撮影する（ステップＳ２０３）。撮影は１回でもよいし、複数回行えるようにしてもよい。撮影を複数回行う場合、タッチパネル１２に複数のプレビュー画像が表示され、利用者Ｐはいずれかの画像を選択する。
【００６８】
割引クーポンを利用するか否かの選択画面がタッチパネル１２に表示される（ステップＳ２０４）。利用者Ｐがクーポン利用の選択ボタンを押すと（ステップＳ２０４＿Ｙｅｓ）、二次元コード化されたクーポンを撮影装置１１の前にかざすように、タッチパネル１２に案内が表示される。利用者Ｐがクーポンを撮影装置１１の前にかざすと、撮影装置１１がクーポンを撮影し、コード情報取得部１１２が撮影した画像からクーポン情報を取得する（ステップＳ２０５）。
【００６９】
課金処理部１１７が課金額を算出してタッチパネル１２に表示する（ステップＳ２０６）。ステップＳ２０５でクーポン情報を取得している場合、課金処理部１１７は、クーポンデータ１２０を参照し、クーポン情報に対応する割引額を求めて課金額を算出する。利用者Ｐが貨幣を投入すると、課金処理が行われる。
【００７０】
画像処理部１１４は、ステップＳ２０２で選択された用途に対応したサイズに画像データを縮小（リサイズ）し、プリント用画像データを生成する。プリント処理部１１６が、プリント用画像データをプリンタ１６へ送信し、プリンタ１６を制御して、画像を印画紙にプリントして出力する（ステップＳ２０７）。
【００７１】
ステップＳ２０１でＩＤ読取モードが選択された場合、モード切替部１１１はタッチパネル１２に、二次元コード読み取りの選択ボタンと、ＩＤ番号読み取りの選択ボタンとを表示する（ステップＳ２１０）。
【００７２】
二次元コード読み取りが選択された場合（ステップＳ２１０＿Ｙｅｓ）、二次元コード化されたＩＤを撮影装置１１の前にかざすように、タッチパネル１２に案内が表示される。利用者Ｐが二次元コードを撮影装置１１の前にかざすと、撮影装置１１が二次元コードを撮影し、コード情報取得部１１２が撮影した画像からＩＤ情報を取得する（ステップＳ２１１、Ｓ２１３）。
【００７３】
ＩＤ番号読み取りが選択された場合（ステップＳ２１０＿Ｎｏ）、ＩＤ番号を撮影装置１１の前にかざすように、タッチパネル１２に案内が表示される。利用者ＰがＩＤ番号を撮影装置１１の前にかざすと、撮影装置１１がＩＤ番号を撮影し、文字認識処理部１１３が、撮影画像からＩＤ情報（ＩＤ番号）を取得する（ステップＳ２１２、Ｓ２１３）。
【００７４】
ＩＤ情報の取得後、顔画像撮影モードの撮影処理（ステップＳ２０３）に進む。ＩＤ情報を取得した場合、画像処理部１１４は、ステップＳ２０３の撮影処理で得られた顔画像データを、ＩＤカードに適したサイズにリサイズする。ステップＳ２０７において、通信処理部１１５が、顔画像データとＩＤ情報とをサーバ装置２へ出力する。
【００７５】
上記実施形態において、撮影装置１１は、自動ズーム機能やオートフォーカス機能を有していることが好ましい。これにより、読み取り対象の二次元コードやＩＤ番号等のサイズが小さい場合でも、読み取り処理を円滑に進めることができる。
【００７６】
上記実施形態において、顔画像データの出力（ステップＳ１０５、Ｓ２０７）は、印画紙へのプリント出力や、サーバ装置２への送信に限定されず、顔画像データを利用者Ｐが所有する携帯端末に転送するものであってもよい。
【００７７】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【００７８】
１  証明写真撮影装置
２  サーバ装置
３  プリンタ
１０  演算制御装置
１１  撮影装置
１２  タッチパネル
１４  スピーカ
１５  ストロボ
１６  プリンタ
１７  通信装置
【図１】
2017208730.tif 000003
【図２】
2017208730.tif 000004
【図３】
2017208730.tif 000005
【図４】
2017208730.tif 000006
【図５】
2017208730.tif 000007
【図６】
2017208730.tif 000008